(57)【要約】      （修正有）【課題】新たな形態の御守りを提供する。【解決手段】御守り１０は、紙片であってその両面１２ａ、１２ｂのうちの一方の面１２ａに付された表示を有する紙片１２と、紙片の両面にそれぞれ接着剤１４、１５を介して接着され互いに相対する２つの木製の薄板１６、１８とを備える。ここにおいて、紙片の一方の面に相対する一方の薄板と、この一方の薄板及び紙片を接着する接着剤とは表示の透過を許す。【選択図】図２
0003222239.tif 000002
【実用新案登録請求の範囲】
【請求項１】
紙片であってその両面のうちの一方の面に付された表示を有する紙片と、
前記紙片の両面にそれぞれ接着剤を介して接着され互いに相対する２つの木製の薄板とを備え、
前記紙片の一方の面に相対する一方の薄板と、該一方の薄板及び前記紙片を接着する前記接着剤とは前記表示の透過を許す透過性を有する、御守り。
【請求項２】
前記紙片は、さらに、その他方の面に付された他の表示を有し、
前記紙片の他方の面に相対する他方の薄板と、該他方の薄板及び前記紙片を接着する前記接着剤とは前記他の表示の透過を許す透過性を有する、請求項1に記載の御守り。
【請求項３】
前記薄板はヒノキ製、スギ製又はヒバ製である、請求項１又は２に記載の御守り。
【請求項４】
前記紙片の一方の面に相対する薄板は０．０１〜０．０２ｍｍの厚さ寸法を有する、請求項1〜３のいずれか1項に記載の御守り。
【請求項５】
前記紙片の他方の面に相対する薄板は０．０１〜０．０２ｍｍの厚さ寸法を有する、請求項２に記載の御守り。
【請求項６】
前記紙片、前記接着剤及び両薄板を貫通するひも通し穴を備える、請求項１〜５のいずれか１項に記載の御守り。
【考案の詳細な説明】
【技術分野】
【０００１】
本考案は、御守りに関する。
【背景技術】
【０００２】
従来、御守りとして紙札、木札、錦札等の形態のものが用いられている。
【先行技術文献】
【特許文献】
【０００３】
【特許文献１】特開２００７−６８６１８号公報
【考案の概要】
【考案が解決しようとする課題】
【０００４】
本考案は、従来になかった新たな形態の御守りを提供する。
【課題を解決するための手段】
【０００５】
本考案に係る御守りは、紙片であってその両面のうちの一方の面に付された表示を有する紙片と、前記紙片の両面にそれぞれ接着剤を介して接着され互いに相対する２つの木製の薄板とを備える。前記紙片の一方の面に相対する一方の薄板と、該一方の薄板及び前記紙片を接着する接着剤とは前記表示の透過を許す透過性を有する。
【０００６】
本考案によれば、表示が付された一方の面を有する紙片がこれを挟む両薄板により保護され比較的堅牢性の高い板状の内府が提供される。前記紙片の一方の面に付された表示は、前記一方の薄板及び接着剤を通して、前記表示の濃さに比べて薄く、淡い状態で透けて見える。前記紙片の一方の面に付される表示は、例えば「御守り」のような文字、神璽印の印影等とすることができる。本考案に係る御守りは、また、厚さが比較的薄く、軽量であり、携帯性に優れる。このことから、前記御守りは、従来の紙札や木札と同様に、例えば名刺入れや財布、定期入れ等に入れて、あるいは、守袋に入れて持ち歩くことができる。
【０００７】
前記紙片は、さらに、その他方の面に付された他の表示を有し、前記紙片の他方の面に相対する他方の薄板と、該他方の薄板及び前記紙片を接着する接着剤とが前記他の表示の透過を許す透過性を有するものとすることができる。前記他の表示は、例えば神社や寺院の名称、絵柄等とすることができる。前記他の表示は、前記一方の薄板及び接着剤におけると同様に、前記他方の薄板及び接着剤を通して透けて見える。
【０００８】
前記一方の薄板及び他方の薄板は、それぞれ、好ましくは、ヒノキ製、スギ製又はヒバ製のものからなる。前記一方の薄板は、好ましくは、０．０１ｍｍ〜０．０２ｍｍの厚さ寸法を有する。前記紙片がその他方の面に付された他の表示を有する例にあっては、前記他方の薄板の厚さ寸法を前記一方の薄板の厚さと同じもの（０．０１ｍｍ〜０．０２ｍｍ）とすることができる。
【０００９】
前記紙片、両薄板及び前記接着剤を貫通するひも通し穴を備えるものとすることができる。これによれば、前記ひも通し穴に例えば平織りの短いひもを通して結び合わせることにより、前記御守りを栞の形態とすることができる。栞としての使用においては、前記紙片に付された表示が比較的薄くまた淡く見えることから、これが御守りであるとの認識がされにくい。
【図面の簡単な説明】
【００１０】
【図１】御守りの正面図である。
【図２】御守りの分解斜視図である。
【図３】御守りの断面図である。
【考案を実施するための形態】
【００１１】
図１を参照すると、本考案の一例に係る御守りが全体に符号１０で示されている。
【００１２】
図２及び図３に示すように、御守り１０は、紙片１２と、紙片１２の両面にそれぞれ接着剤１４、１５を介して接着され互いに相対する２つの木製の薄板１６、１８とを備え、全体に板状を呈する。図示の御守り１０は矩形の平面形状を有する。御守り１０は、図示の例に代えて、例えば円形、楕円形、正八角形等の他の平面形状を有するものとすることができる。
【００１３】
紙片１２はその両面１２ａ、１２ｂのうちの一方の面１２ａに付された表示２０を有する。表示２０は、その一例としての例えば「御守り」のような文字及び神璽印の印影（図示せず）からなるものとし、あるいは、これ等に加えて、さらに、風景画、キャラクターのイラストレーション、図形、色彩等の絵柄を含むものとすることができる。
【００１４】
紙片１２の一方の面１２ａに相対する一方の薄板１６と、該一方の薄板及び紙片１２を接着する接着剤１４とは、表示２０の透過を許す透過性を有する。これによれば、表示２０は接着剤１４及び薄板１６を通して、表示２０の濃さと比べて薄くまた淡く透けて見える。前記透過性は、接着剤１４として透明なものを選択し、また、薄板１６として、これが光の透過を許す厚さ寸法、好ましくは０．０１ｍｍ〜０．０２ｍｍ、より好ましくは、薄板１６の剛性又は形態保持性を考慮して０．０２ｍｍの厚さ寸法を有するものを選択することにより得ることができる。
【００１５】
紙片１２は、さらに、その他方の面１２ｂに付された表示（以下、「他の表示」という。）（図示せず）を有するものとすることができる。ここにおいて、紙片１２の他方の面１２ｂに相対する他方の薄板１８と、該他方の薄板及び紙片１２を接着する接着剤１５とは、前記他の表示の透過を許す透過性を有する。接着剤１５及び他方の薄板１８は、それぞれ、接着剤１４及び一方の薄板１６と同様のものからなるものとすることができる。
【００１６】
接着剤１４、１５は例えばフィルム状のポリオレフィン系のホットメルト接着剤の熱溶融物からなり、各薄板１６、１８は好ましくはヒノキ製、スギ製又はヒバ製のものからなる。御守り１０は、薄板１８の上に、一枚の前記フィルム状のホットメルト接着剤、紙片１２、他の一枚の前記フィルム状のホットメルト接着剤及び薄板１６を順次に重ね合わせ、薄板１６の上に熱及び圧力を加え、前記フィルム状のホットメルト接着剤を熱溶融させることにより得ることができる。
【００１７】
前記した例に代えて、紙片１２はその他方の面１２ｂに前記他の表示が付されていないものとすることができる。ここにおいて、接着剤１５及び他方の薄板１８は、これらが透過性を有するものとすることができる。これによれば、接着剤１５及び他方の薄板１８を通して、紙片１２の他方の面１２ｂの地肌のみが透けて見える。また、接着剤１５及び他方の薄板１８がそれぞれ透過性を有するものとすることに代えて、接着剤１５及び他方の薄板１８の双方又は一方が透過性を有しないものとすることができる。
【００１８】
本考案にあっては、表示２０（あるいはさらに前記他の表示）が付された紙片１２がこれを挟む両薄板１６、１８により保護され比較的堅牢性の高い御守り１０が提供される。御守り１０は、また、比較的薄く、軽量であり、携帯性に優れる。このことから、御守り１０は、例えば名刺入れや財布、定期入れ等に入れて、あるいは、守袋に入れて持ち歩くことができる。
【００１９】
また、図１に示すように、御守り１０は、紙片１２、接着剤１４、１５及び両薄板１６、１８を貫通するひも通し穴２２を備えるものとすることができる。
【００２０】
これによれば、ひも通し穴２２に例えば平織りの短いひも（図示せず）を通して結び合わせることにより、御守り１０を栞の形態とすることができる。栞としての使用においては、紙片１２の表示２０（又はさらに前記他の表示）が薄板１６（同薄板１８）を通して淡く、比較的薄い濃さで見えることから、これが御守りであるとの認識がされにくい。
【符号の説明】
【００２１】
１０  御守り
１２  紙片
１２ａ、１２ｂ  紙片の一方の面及び他方の面
１４、１５  接着剤
１６、１８  一方の薄板及び他方の薄板
２０  表示
２２  ひも通し穴
【図１】
0003222239.tif 000003
【図２】
0003222239.tif 000004
【図３】
0003222239.tif 000005